(57)【要約】【課題】ネットワークから切り離されたジョブ実行装置に送信されたジョブを実行する。【解決手段】通信装置（１０）は、記憶部（１６）と、通信部（１４）とを備える。記憶部（１６）は、第１ジョブ実行装置（３０Ａ）の第１アドレス情報（１６ａ）、および、第１ジョブ実行装置（３０Ａ）とネットワーク（Ｎ）で接続された第２ジョブ実行装置（３０Ｂ）の第２アドレス情報（１６ｂ）を記憶する。通信部（１４）は、第１ジョブ実行装置（３０Ａ）がネットワーク（Ｎ）を介して通信不可である場合、第１アドレス情報（１６ａ）と第２アドレス情報（１６ｂ）とに基づいて、ジョブ送信装置（２０）から第１ジョブ実行装置（３０Ａ）に向けたジョブを受信し、ジョブを第２ジョブ実行装置（３０Ｂ）に送信する。【選択図】図２
2020174299.tif 000002
【特許請求の範囲】
【請求項１】
第１ジョブ実行装置の第１アドレス情報、および、前記第１ジョブ実行装置とネットワークで接続された第２ジョブ実行装置の第２アドレス情報を記憶する記憶部と、
前記第１ジョブ実行装置が前記ネットワークを介して通信不可である場合、前記第１アドレス情報と前記第２アドレス情報とに基づいて、ジョブ送信装置から前記第１ジョブ実行装置に送信されたジョブを受信し、前記ジョブを前記第２ジョブ実行装置に送信する通信部と
を備える、通信装置。
【請求項２】
前記通信部は、前記第１ジョブ実行装置および前記第２ジョブ実行装置を管理する管理装置から、前記第１アドレス情報および前記第２アドレス情報を受信する、請求項１に記載の通信装置。
【請求項３】
前記通信部は、前記第１ジョブ実行装置に対するアドレス解決クエリを受信し、前記アドレス解決クエリに対するレスポンスを前記第２ジョブ実行装置に送信する、請求項１または２に記載の通信装置。
【請求項４】
前記通信部は、
前記ジョブ送信装置から前記第１ジョブ実行装置に対する監視リクエストを受信し、前記監視リクエストを前記第２ジョブ実行装置に送信し、
前記第２ジョブ実行装置から前記監視リクエストに対するレスポンスを受信し、前記レスポンスを前記ジョブ送信装置に送信する、請求項１から３のいずれかに記載の通信装置。
【請求項５】
第１ジョブ実行装置がネットワークを介して通信不可である場合、ジョブ送信装置から前記第１ジョブ実行装置に送信されたジョブを受信するステップと、
前記ネットワークを介して接続された第２ジョブ実行装置に前記ジョブを送信するステップと、
をコンピューターに実行させる、通信制御プログラム。
【請求項６】
前記第１ジョブ実行装置および前記第２ジョブ実行装置を管理する管理装置から、前記第１ジョブ実行装置の第１アドレス情報および前記第２ジョブ実行装置の第２アドレス情報を受信するステップをさらにコンピューターに実行させる、請求項５に記載の通信制御プログラム。
【請求項７】
前記第１ジョブ実行装置に対するアドレス解決クエリを受信するステップと、
前記アドレス解決クエリに対するレスポンスを前記第２ジョブ実行装置に送信するステップと
をさらにコンピューターに実行させる、請求項５または６に記載の通信制御プログラム。
【請求項８】
前記ジョブ送信装置から前記第１ジョブ実行装置に対する監視リクエストを受信するステップと、
前記監視リクエストを前記第２ジョブ実行装置に送信するステップと、
前記第２ジョブ実行装置から前記監視リクエストに対するレスポンスを受信するステップと、
前記レスポンスを前記ジョブ送信装置に送信するステップと
をさらにコンピューターに実行させる、請求項５から７のいずれかに記載の通信制御プログラム。
【発明の詳細な説明】
【技術分野】
【０００１】
本発明は、通信装置および通信制御プログラムに関する。
【背景技術】
【０００２】
画像形成装置を含む多くの電子機器においてメンテナンス作業が必要となることがある。画像形成装置は、メンテナンス作業中に印刷を実行できないため、代わりに、別の画像形成装置に印刷させることが知られている（例えば、特許文献１）。特許文献１の画像形成装置は、ネットワークに接続された代替の画像形成装置を検索して印刷データを転送することで、別の画像形成装置に印刷処理を実行させている。
【先行技術文献】
【特許文献】
【０００３】
【特許文献１】特開２００５−３０９０７８号公報
【発明の概要】
【発明が解決しようとする課題】
【０００４】
しかしながら、特許文献１の画像形成装置では、メンテナンス対象となる画像形成装置がネットワークを介して他の画像形成装置と接続している必要があり、ネットワークと切り離してメンテナンス作業を行うことはできなかった。
【０００５】
本発明は上記課題に鑑みてなされたものであり、その目的は、ネットワークから切り離されたジョブ実行装置に送信されたジョブを実行可能な通信装置および通信プログラムを提供することにある。
【課題を解決するための手段】
【０００６】
本発明による通信装置は、記憶部と、通信部とを備える。前記記憶部は、第１ジョブ実行装置の第１アドレス情報、および、前記第１ジョブ実行装置とネットワークで接続された第２ジョブ実行装置の第２アドレス情報を記憶する。前記通信部は、前記第１ジョブ実行装置が前記ネットワークを介して通信不可である場合、前記第１アドレス情報と前記第２アドレス情報とに基づいて、ジョブ送信装置から前記第１ジョブ実行装置に送信されたジョブを受信し、前記ジョブを前記第２ジョブ実行装置に送信する。
【０００７】
本発明による通信プログラムは、第１ジョブ実行装置がネットワークを介して通信不可である場合、ジョブ送信装置から前記第１ジョブ実行装置に送信されたジョブを受信するステップと、前記ネットワークを介して接続された第２ジョブ実行装置に前記ジョブを送信するステップとをコンピューターに実行させる。
【発明の効果】
【０００８】
本発明によれば、ネットワークから切り離されたジョブ実行装置に送信されたジョブを実行できる。
【図面の簡単な説明】
【０００９】
【図１】（ａ）は本実施形態の通信装置をネットワークに接続する前の通信システムの模式図であり、（ｂ）は本実施形態の通信装置を接続した後の通信システムの模式図である。
【図２】本実施形態の通信装置の模式的なブロック図である。
【図３】本実施形態における電子機器、ジョブ送信装置および通信装置のフロー図である。
【図４】（ａ）は本実施形態の通信装置を接続する前の通信システムの模式図であり、（ｂ）は本実施形態の通信装置を接続した後の通信システムの模式図である。
【発明を実施するための形態】
【００１０】
以下、図面を参照して本発明による通信装置および通信制御プログラムの実施形態を説明する。なお、図中、同一または相当部分については同一の参照符号を付して説明を繰り返さない。
【００１１】
まず、図１を参照して、本実施形態の通信装置１０に接続される通信システム１００を説明する。通信装置１０は、複数の通信機器の接続された通信システム１００のネットワークＮに接続される。
【００１２】
図１（ａ）は、通信装置１０が接続される前の通信システム１００の模式図である。図１（ａ）に示すように、通信装置１０が通信システム１００に接続される前には、通信システム１００は、ジョブ送信装置２０と、ジョブ実行装置３０Ａと、ジョブ実行装置３０Ｂとを備える。ジョブ送信装置２０とジョブ実行装置３０Ａとジョブ実行装置３０Ｂとは互いにネットワークＮで接続されている。例えば、ネットワークＮは、ローカル・エリア・ネットワーク（Ｌｏｃａｌ  Ａｒｅａ  Ｎｅｔｗｏｒｋ：ＬＡＮ）であってもよく、ワイド・エリア・ネットワーク（Ｗｉｄｅ  Ａｒｅａ  Ｎｅｔｗｏｒｋ：ＷＡＮ）であってもよい。
【００１３】
なお、ジョブ送信装置２０は、あるジョブをジョブ実行装置３０Ａ、３０Ｂに送信して、ジョブ実行装置３０Ａ、３０Ｂが、このジョブを受信して実行する。ただし、ジョブ送信装置２０は、ジョブを送信するだけでなく別のジョブを受信して実行してもよい。また、ジョブ実行装置３０Ａ、３０Ｂは、ジョブを受信して実行するだけでなく、ジョブ実行装置３０Ａ、３０Ｂが別の装置にジョブを送信してもよい。例えば、ジョブ送信装置２０は、ジョブ実行装置３０Ａまたはジョブ実行装置３０Ｂから送信された別のジョブを受信して実行してもよい。
【００１４】
ジョブ送信装置２０は、ジョブ実行装置３０Ａおよびジョブ実行装置３０Ｂにジョブを送信できる。ジョブ送信装置２０がジョブ実行装置３０Ａにジョブを送信すると、ジョブ実行装置３０Ａはジョブ送信装置２０からのジョブを実行する。また、ジョブ送信装置２０がジョブ実行装置３０Ｂにジョブを送信すると、ジョブ実行装置３０Ｂはジョブ送信装置２０からのジョブを実行する。典型的には、ジョブ実行装置３０Ａおよびジョブ実行装置３０Ｂは同じ機能を有する。
【００１５】
例えば、ジョブ送信装置２０は、情報処理端末である。例えば、ジョブ送信装置２０は、パーソナルコンピューター（Ｐｅｒｓｏｎａｌ  Ｃｏｍｐｕｔｅｒ：ＰＣ）またはスマートフォン（Ｓｍａｒｔ  Ｐｈｏｎｅ）を含む。
【００１６】
例えば、ジョブ実行装置３０Ａおよびジョブ実行装置３０Ｂは、いずれも画像形成装置である。画像形成装置は、シートに画像を形成する。画像形成装置は、例えば、プリンター、コピー機または複合機である。画像形成装置は、ファクシミリ機能を有してもよい。
【００１７】
この場合、ジョブ送信装置２０は、ジョブ実行装置３０Ａおよびジョブ実行装置３０Ｂに印刷ジョブを送信する。ジョブ送信装置２０がジョブ実行装置３０Ａに印刷ジョブを送信すると、ジョブ実行装置３０Ａはジョブ送信装置２０からの印刷ジョブを実行する。また、ジョブ送信装置２０がジョブ実行装置３０Ｂに印刷ジョブを送信すると、ジョブ実行装置３０Ｂはジョブ送信装置２０からの印刷ジョブを実行する。
【００１８】
なお、図１に示した通信システム１００では、参考のために、ジョブ送信装置２０、ジョブ実行装置３０Ａおよびジョブ実行装置３０Ｂを示しているが、通信システム１００のネットワークＮは、さらに別のジョブ送信装置およびジョブ実行装置と接続されてもよい。あるいは、通信システム１００のネットワークＮは、さらに別の電子機器と接続されてもよい。
【００１９】
ジョブ実行装置３０Ａは、ネットワークＮを介した通信ができなくなることがある。例えば、ジョブ実行装置３０Ａのメンテナンスを行う場合、メンテナンスは、ジョブ実行装置３０ＡとネットワークＮとの接続を解除して行われることがある。例えば、ジョブ実行装置３０Ａにイーサネット（登録商標）端子を挿入してジョブ実行装置３０ＡがネットワークＮと接続する場合、ジョブ実行装置３０Ａからイーサネット端子を取り外すことでジョブ実行装置３０ＡとネットワークＮとの接続を解除できる。同様に、ジョブ実行装置３０Ｂのメンテナンスは、ジョブ実行装置３０ＢとネットワークＮとの接続を解除して行われることがある。
【００２０】
本実施形態の通信装置１０は、ジョブ実行装置３０Ａまたはジョブ実行装置３０ＢがネットワークＮを介した通信が不可となった場合に、通信不可となったジョブ実行装置に送信されるジョブが実行されるように動作する。
【００２１】
図１（ｂ）は、通信装置１０の接続された通信システム１００の模式図である。ここでは、図１（ｂ）に示すように、ジョブ実行装置３０ＡはネットワークＮとの接続が解除されている。また、ジョブ実行装置３０Ａは、ネットワークＮとの接続が解除されており、通信装置１０はネットワークＮと接続されている。
【００２２】
通信装置１０は、ネットワークＮとの接続が解除されたジョブ実行装置３０Ａのアドレス情報およびジョブ実行装置３０Ａと同様の機能を有するジョブ実行装置３０Ｂのアドレス情報を記憶している。ネットワーク上において、通信装置１０には、ジョブ実行装置３０Ａのアドレス情報が設定されている。
【００２３】
このため、ジョブ送信装置２０がジョブ実行装置３０Ａにジョブを送信する場合、ジョブは、ジョブ実行装置３０Ａのアドレス情報の設定された通信装置１０に送信される。通信装置１０は、ジョブ実行装置３０Ａからジョブを受信すると、受信したジョブをジョブ実行装置３０Ｂに転送する。
【００２４】
ジョブ実行装置３０Ｂは、通信装置１０を介してジョブ実行装置３０Ａのジョブを受信し、ジョブを実行する。このため、通信システム１００では、ジョブ実行装置３０ＡがネットワークＮを介して通信不可となっているにもかかわらず、ジョブ実行装置３０Ａに送信されたジョブを実行できる。
【００２５】
次に、図１および図２を参照して本実施形態の通信装置１０を説明する。図２は、通信装置１０の模式図である。
【００２６】
通信装置１０は、通信部１２と、制御部１４と、記憶部１６とを備える。通信部１２は、外部の通信機器と通信可能である。図１（ｂ）に示したように、通信部１２は、ジョブ送信装置２０およびジョブ実行装置３０Ｂと通信できる。
【００２７】
制御部１４は、通信部１２を制御する。制御部１４は、演算素子を含む。演算素子は、プロセッサーを含む。一例では、プロセッサーは、中央処理演算機（ＣＰＵ）を含む。プロセッサーは、特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）を含んでもよい。
【００２８】
記憶部１６は、記憶素子を含む。記憶部１６は、半導体メモリーのようなメモリーを備えてもよい。記憶部１６は、半導体メモリーのような主記憶素子と、半導体メモリーおよび／またはハードディスクドライブのような補助記憶素子とを含む。記憶部１６は、リムーバブルメディアを含んでいてもよい。
【００２９】
記憶部１６は、種々のデータを記憶する。例えば、記憶部１６は、制御プログラムを記憶する、制御プログラムは、通信を制御する通信制御プログラムであってもよい。制御部１４は、制御プログラムを実行することによって、通信装置１０の動作を制御する。詳細には、制御部１４のプロセッサーは、記憶部１６の記憶素子の記憶しているコンピュータープログラムを実行して、通信装置１０の各構成を制御する。例えば、生成部１３０および予測部１４０は、制御部１４がコンピュータープログラムを実行することによって具現化される。
【００３０】
例えば、コンピュータープログラムは、非一時的コンピューター読取可能記憶媒体に記憶される。非一時的コンピューター読取可能記憶媒体は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、磁気ディスクまたは光データ記憶装置を含む。
【００３１】
また、記憶部１６は、ネットワークＮを介した通信の不可となるジョブ実行装置のアドレス情報１６ａを記憶する。記憶部１６は、通信不可のジョブ実行装置の代替装置のアドレス情報１６ｂを記憶する。図１（ｂ）では、ジョブ実行装置３０Ａが、通信不可となるジョブ実行装置であり、ジョブ実行装置３０Ｂが、代替装置である。
【００３２】
次に、図３を参照して、通信装置１０がネットワークＮに接続された場合にジョブを実行するフローを説明する。
【００３３】
ジョブ実行装置３０ＡとネットワークＮとの接続が解除されてジョブ実行装置３０Ａは、ネットワークＮを介して通信できなくなる。
【００３４】
また、通信装置１０は、ネットワークＮに接続される。ここでは、通信装置１０の記憶部１６は、アドレス情報１６ａおよびアドレス情報１６ｂを記憶している。
【００３５】
ここでは、ジョブ送信装置２０は、ジョブ実行装置３０Ａによって実行される予定のジョブをジョブ実行装置３０Ａに向けて送信する。例えば、ジョブ送信装置２０のユーザーは、ジョブ実行装置３０Ａがジョブを実行するようにジョブ送信装置２０に指令する。なお、ここでは、ジョブ送信装置２０は、ジョブの送信に先だち、アドレス解決クエリおよび監視リクエストをジョブ実行装置３０Ａに向けて送信する。例えば、監視リクエストは、ＳＮＭＰ（Ｓｉｍｐｌｅ  Ｎｅｔｗｏｒｋ  Ｍａｎａｇｅｍｅｎｔ  Ｐｒｏｔｏｃｏｌ）リクエストである。
【００３６】
Ｓ１ａにおいて、ジョブ送信装置２０は、アドレス解決クエリをジョブ実行装置３０Ａに向けて送信する。アドレス解決クエリにはジョブ実行装置３０Ａのアドレスが指定されているが、ネットワークＮにはジョブ実行装置３０Ａは接続されておらず、ジョブ実行装置３０Ａの代わりに通信装置１０が接続されている。このため、通信装置１０は、アドレス解決クエリを受信する。
【００３７】
Ｓ１ｂにおいて、通信装置１０は、アドレス解決クエリに対するレスポンスをジョブ送信装置２０に返信する。これにより、ジョブ送信装置２０は、ジョブ実行装置３０Ａのアドレスを有する装置（実際には、ジョブ実行装置３０Ａのアドレスの指定された通信装置１０）がネットワークＮに接続されていることを確認できる。
【００３８】
Ｓ２ａにおいて、ジョブ送信装置２０は、ＳＮＭＰリクエストをジョブ実行装置３０Ａに向けて送信する。ＳＮＭＰリクエストは、ジョブ実行装置３０Ａがジョブを実行するのに際してジョブ実行装置３０Ａによるジョブの実行に関する情報をリクエストするものである。例えば、ジョブ実行装置３０Ａが画像形成装置である場合、ＳＮＭＰリクエストは、印刷ジョブの実行に関する情報の要求である。この情報は、一例では、トナーまたはインクの量および／またはジョブの実行順序である。
【００３９】
なお、ＳＮＭＰリクエストにはジョブ実行装置３０Ａのアドレスが指定されているが、ネットワークＮにはジョブ実行装置３０Ａは接続されておらず、ジョブ実行装置３０Ａの代わりに通信装置１０が接続されている。このため、通信装置１０は、ＳＮＭＰリクエストを受信する。
【００４０】
Ｓ２ｂにおいて、通信装置１０は、ＳＮＭＰリクエストをジョブ実行装置３０Ｂに送信（リダイレクト）する。このため、ジョブ実行装置３０Ｂは、ＳＮＭＰリクエストを通信装置１０から受信する。
【００４１】
Ｓ２ｃにおいて、ジョブ実行装置３０Ｂは、ＳＮＭＰリクエストに対するレスポンスを通信装置１０に返信し、通信装置１０は、レスポンスを受信する。
【００４２】
Ｓ２ｄにおいて、通信装置１０は、ＳＮＭＰリクエストに対するレスポンスをジョブ送信装置２０に送信する。なお、通信装置１０のレスポンスは、ジョブ実行装置３０Ｂから受信した内容を含む。これにより、ジョブ送信装置２０は、ジョブ実行装置３０Ａの代わりに、ジョブを実行する予定のジョブ実行装置３０Ｂのジョブに関する情報を取得できる。
【００４３】
Ｓ３ａにおいて、ジョブ送信装置２０は、ジョブをジョブ実行装置３０Ａに送信する。ここでは、ジョブは印刷ジョブである。なお、ジョブの送信先はジョブ実行装置３０Ａのアドレスに指定されているが、ネットワークＮにはジョブ実行装置３０Ａは接続されておらず、ジョブ実行装置３０Ａの代わりに通信装置１０が接続されている。このため、通信装置１０がジョブを受信する。
【００４４】
Ｓ３ｂにおいて、通信装置１０は、ジョブをジョブ実行装置３０Ｂに送信（リダイレクト）する。このため、ジョブ実行装置３０Ｂは、ジョブを通信装置１０から受信する。その後、ジョブ実行装置３０Ｂは、ジョブを実行する。以上のように、ジョブ実行装置３０ＡはネットワークＮから切り離されているが、ジョブ送信装置２０からジョブ実行装置３０Ａに送信されたジョブは実行される。
【００４５】
なお、図３を参照して上述した説明では、ジョブ送信装置２０は、ジョブの送信の直前にアドレス解決クエリおよびＳＮＭＰリクエストを送信したが、本実施形態はこれに限定されない。ジョブ送信装置２０は、ジョブを送信しない場合でも、アドレス解決クエリおよび／またはＳＮＭＰリクエストを送信してもよい。例えば、ジョブ送信装置２０は、アドレス解決クエリおよび／またはＳＮＭＰリクエストを定期的に同報通信してもよい。また、ジョブ送信装置２０は、ジョブを送信する前に行われた同報通信の結果を利用してもよい。
【００４６】
なお、図１〜図３を参照して上述した説明では、通信装置１０は、通信装置１０は、ジョブ実行装置３０Ａのアドレス情報１６ａ、および、ジョブ実行装置３０Ｂのアドレス情報１６ｂを記憶していたが、通信装置１０は、ジョブ実行装置３０Ａ、３０Ｂの管理装置からアドレス情報１６ａ、Ａｂを取得してもよい。
【００４７】
次に、図１、図２および図４を参照して、本実施形態の通信装置１０に接続される通信システム１００を説明する。通信装置１０は、複数の通信機器の接続された通信システム１００のネットワークＮに接続される。
【００４８】
図４（ａ）に示すように、通信システム１００は、ジョブ送信装置２０、ジョブ実行装置３０Ａおよびジョブ実行装置３０Ｂに加えて管理装置４０を備える。管理装置４０は、ジョブ実行装置３０Ａおよびジョブ実行装置３０Ｂを管理する。なお、管理装置４０は、ジョブ送信装置２０を管理してもよい。管理装置４０は、例えば、サーバーである。管理装置４０は、ジョブ実行装置３０Ａおよびジョブ実行装置３０Ｂのアドレス情報を記憶する。
【００４９】
例えば、ジョブ実行装置３０Ａおよびジョブ実行装置３０Ｂが画像形成装置である場合、管理装置４０は、一例として、ジョブ実行装置３０Ａおよびジョブ実行装置３０Ｂのアドレス情報とともにジョブ実行装置３０Ａおよびジョブ実行装置３０Ｂの印刷情報およびメンテナンス情報を管理する。例えば、印刷情報は、過去の累積印刷枚数および印刷条件を示す情報である。また、メンテナンス情報は、サービスマンがジョブ実行装置３０Ａおよびジョブ実行装置３０Ｂに対して過去にメンテナンスを行った日時、行われたメンテナンス処理、サービスマンがジョブ実行装置３０Ａおよびジョブ実行装置３０Ｂに対して次にメンテナンスを行う予定の日時、および、行う予定のメンテナンス処理を含む。
【００５０】
典型的には、ジョブ送信装置２０、ジョブ実行装置３０Ａおよびジョブ実行装置３０ＢはＬＡＮケーブルまたはＷＡＮケーブルで接続されてネットワークＮが形成される。ただし、管理装置４０は、ジョブ実行装置３０Ａおよびジョブ実行装置３０ＢとはネットワークＮとは別のネットワークで接続されてもよい。
【００５１】
通信装置１０は、管理装置４０に接続される。通信装置１０は、管理装置４０とネットワークで接続されてよく、直接接続されてもよい。通信装置１０の通信部１２は、管理装置４０からジョブ実行装置３０Ａ、３０Ｂのアドレス情報を取得し、記憶部１６は、ジョブ実行装置３０Ａ、３０Ｂのアドレス情報を記憶する。
【００５２】
図４（ｂ）に示すように、ジョブ実行装置３０ＡとネットワークＮとの接続が解除され、通信装置１０がネットワークＮに接続される。このため、ネットワークＮには、通信装置１０、ジョブ送信装置２０およびジョブ実行装置３０Ｂが接続される。
【００５３】
なお、上述したように、ジョブ実行装置３０Ａ、３０Ｂは画像形成装置であってもよい。この場合、画像形成装置は、電子写真方式であってもよく、インクジェット方式であってもよい。
【００５４】
以上、図面を参照しながら本発明の実施形態について説明した。但し、本発明は、上記の実施形態に限定されるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【００５５】
本発明は、通信装置および通信制御プログラムの分野で好適に用いられる。
【符号の説明】
【００５６】
１０    通信装置
２０    ジョブ送信装置
３０Ａ  ジョブ実行装置
３０Ｂ  ジョブ実行装置
１００    通信システム
【図１】
2020174299.tif 000003
【図２】
2020174299.tif 000004
【図３】
2020174299.tif 000005
【図４】
2020174299.tif 000006